(57)【要約】【課題】反射光の折り返し領域の一方の側に複数の反射部材がある場合に、一方の側に並ぶ複数の反射部材が、レイアウト上の制約を緩和して、各反射部材の使用反射領域を近づけることも可能とする。【解決手段】筐体の内部に、少なくとも複数の反射部材を有し、前記複数の反射部材がそれぞれ、その長手方向の一方の端部で、前記長手方向に直交する短手方向にて２点支持され、他方の端部で１点支持されていて、前記反射部材の２点支持される側が、１点支持される側よりも幅広である、画像読取装置において、前記筐体の一方の側に配置されて隣り合う２つの前記反射部材が互いに、一方の反射部材の２点支持される側を他方の反射部材の１点支持される側に配するように、位置関係を有する。【選択図】図７
2019140556.tif 000002
【特許請求の範囲】
【請求項１】
筐体の内部に、少なくとも複数の反射部材を有し、前記複数の反射部材がそれぞれ、その長手方向の一方の端部で、前記長手方向に直交する短手方向にて２点支持され、他方の端部で１点支持されていて、前記反射部材の２点支持される側が、１点支持される側よりも幅広である、画像読取装置において、
前記筐体の一方の側に配置されて隣り合う２つの前記反射部材が互いに、一方の反射部材の２点支持される側を他方の反射部材の１点支持される側に配するように、位置関係を有する、画像読取装置。
【請求項２】
前記反射部材の２点支持される側で、少なくとも１つの支持部が使用反射領域よりも前記短手方向の外側にあることを特徴とする請求項１に記載の画像読取装置。
【請求項３】
前記反射部材の２点支持される側が前記反射部材とは別の支持部材によって支持されることを特徴とする請求項１又は２に記載の画像読取装置。
【請求項４】
前記筐体が画像読取装置内を移動する走行体であることを特徴とする請求項１〜３のいずれか一項に記載の画像読取装置。
【発明の詳細な説明】
【技術分野】
【０００１】
本発明は、画像読取装置に関するものである。
【背景技術】
【０００２】
複写機等の画像形成装置を構成する画像読取装置は、原稿の読み取り面に光を照射し、その反射光をミラー等の反射部材で反射してレンズを介して読取センサに導いており、所定の画像処理回路で画像読取処理を行っている。反射部材はキャリッジとも称される走行体に固定して備えられており、その位置や角度は、原稿からの反射光を読取センサに正確に入射させるためには、非常に高い精度で走行体に設置されていなければならない。しかしながら、走行体は光照射のための光源を有しており、温度変動の影響を受け易く、また走行体による走査の際の振動の影響もある。
【０００３】
一般的に、反射部材は板状のミラーで構成され、反射部材の長手方向両端のうちの一端で１点支持され、他端で２点支持されることで走行体に固定されており、このような３点支持では、走査に際してねじれ振動が発生し、情報を重ね合わせるカラー画像形成にあっては読み取り位置がずれる問題を生じる。
【０００４】
そこで特許文献１では、１点支持する側の端部に切り欠き部を設けることで、反射部材であるミラーの振動を防止することを提案している。しかしながら、このような切り欠き部を設ける結果、１点支持する側の端部よりも２点支持する側の端部（他端側）は、反射部材の長手方向に直交する短手方向の幅が広くなる。原稿の画像情報を読取センサに導くために、原稿からの反射光は反射部材によって複数回折り返されるのが一般的なので、反射光の折り返し領域の一方の側に複数の反射部材がある場合には、一方の側に並ぶ複数の反射部材は、それら幅広な他端側で部品を詰めても各反射部材の使用反射領域を近づけることに限界があり、レイアウト上の制約が生じる。
【発明の概要】
【発明が解決しようとする課題】
【０００５】
そこで本発明は、反射光の折り返し領域の一方の側に複数の反射部材がある場合に、一方の側に並ぶ複数の反射部材が、レイアウト上の制約を緩和して、各反射部材の使用反射領域を近づけることも可能とすることを課題とする。
【課題を解決するための手段】
【０００６】
上記課題を解決するため、本発明では、筐体の内部に、少なくとも複数の反射部材を有し、前記複数の反射部材がそれぞれ、その長手方向の一方の端部で、前記長手方向に直交する短手方向にて２点支持され、他方の端部で１点支持されていて、前記反射部材の２点支持される側が、１点支持される側よりも幅広である、画像読取装置において、前記筐体の一方の側に配置されて隣り合う２つの前記反射部材が互いに、一方の反射部材の２点支持される側を他方の反射部材の１点支持される側に配するように、位置関係を有する。
【発明の効果】
【０００７】
本発明によれば、筐体の一方の側に配置されて隣り合う２つの反射部材を、一方の反射部材の２点支持される側を他方の反射部材の１点支持される側に配するように配置するので、レイアウト上の制約を緩和して、各反射部材の使用反射領域を近づけることができる。
【図面の簡単な説明】
【０００８】
【図１】本発明の実施の一形態に係る画像読取装置の外観構成を示す概略図である。
【図２】画像読取装置の内部を説明する概略図である。
【図３】一体型走査光学ユニットを概念的に説明する模式図である。
【図４】２点支持位置の間隔の違いによるミラーの角度位置精度について説明する図である。
【図５】ミラーの２点支持側で短手方向の１つを使用反射領域よりも外側にする構成を説明する部分図である。
【図６】ミラーの端部のみ短手方向幅を広げることで、光線群がミラー中央領域で妨げられないことを説明する概略図である。
【図７】隣り合うミラーの幅広端部を互いに異なる側に配置することを示す図で、図７ａは短手方向の一方に幅広部を有する態様を、図７ｂは短手方向の両方に幅広部を有する態様を示すものである。
【図８】２点支持端部をミラーと異なる部材で構成することを示す図である。
【発明を実施するための形態】
【０００９】
以下、添付の図面に基づき、本発明の実施の形態について説明する。
図１に示すように、画像読取装置１０２は、スキャナカバー部２０１とスキャナフレーム部２０２とで構成されている。スキャナカバー部２０１は原稿を載置するコンタクトガラス２０３を備える。このような画像読取装置１０２をフラットベッド画像読み取り部（原稿の載置固定と表面画像の読み取り）として、その上面に自動給紙機構（ＡＤＦ）を備えた画像読取装置であってもよい。そして画像読取装置１０２内には、図２に示すように、走行体を構成する走査光学ユニット３０１と、該走査光学ユニット３０１が画像読取装置１０２内を移動するのに供されるガイドロッド３０２やレール３０３等が設けられている。
【００１０】
図３に示すように、光学走査ユニット３０１は、コンタクトガラス２０３に載置された原稿１００を照射する光源４０１と、原稿１００から反射する光をイメージセンサ４０７に導く反射部材である一群のミラー４０２，４０３，４０４，４０５，４０６とをユニット筐体４０８の内部に備え、複数回折り返される反射光を結像する一群のレンズ４０９，４１０をレンズ受け台４１１に備えている。ＣＣＤやＣＭＯＳ等を用いたイメージセンサ４０７はセンサ基板４１２に実装され、イメージセンサ調整／固定ブラケット４１３を介して、レンズ受け台４１１に配置されている。レンズ受け台４１１はユニット筐体４０８に固着されていて、それによって、走査光学ユニット３０１は、光源４０１、ミラー４０２〜４０６、イメージセンサ４０７、レンズ４０９．４１０、センサ基板４１２を一体的に保持しており、光学キャリッジ一体型の画像読取機構である。なお、描写は概念的なものであり、原稿への照射は主走査方向を一括して行うもの（ライン型）でも、ユニット筐体を主走査方向にも移動させながら点照射するもの（シリアル型）でもよく、また本発明は、このような光学キャリッジ一体型の機構だけでなく、レンズとイメージセンサが装置本体に固定され、光源とミラーを有する第１キャリッジと複数のミラーを有する第２キャリッジが一定の光路長を保ちながら移動するミラー移動方式の機構にも適用され得るものである。
【００１１】
ここで、反射部材の端部で２点支持する位置間隔の違いによって反射部材の角度位置の精度が影響することを説明する。反射部材であるミラー４０２〜４０６はそれぞれ、図４に示すように、長手方向の一方の端部で、２点の、例えば樹脂製の支持部５０１ａ，５０１ｂにより支持され、それによって角度位置が決まることとなる。この２点の支持部の間隔が大きいほど、支持位置偏差による角度への影響が少なくなるので、部品精度による角度誤差や、熱変動での寸法変動による角度変動量が小さい。
【００１２】
次に、反射部材の、２点支持された側の端部での基本構成について説明する。これは、反射部材であるミラーの２点支持側で、ミラー長手方向に直交する短手方向の少なくとも１つを、実際の反射に用いる使用反射領域よりも外側にするものであり、例えば図５に示すように、ミラー４０２（他のミラー４０３〜４０６についても同じである）の、２点支持された側の端部での支持位置周辺のみ、短手方向の幅を、短手方向の一方の支持部を使用反射領域６０２よりも寸法Ｘだけ外側に広げる。これによって２点支持位置間隔も広げることができ、部品精度による角度誤差や、熱変動での寸法変動による角度変動量を低減することができる。そしてミラー４０２の一方の端部のみ短手幅を広げるので、図６に示すように、ミラー中央で光線群７０１を遮蔽することなくミラーは配置することができる。
【００１３】
このように各ミラーの長手方向一端を短手方向で２点支持する３点支持固定構成では、筐体の内部で反射光の折り返し領域の一方の側に複数のミラーがある場合（図３におけるミラー４０２，４０４，４０６あるいはミラー４０３，４０５）、各ミラーの幅広な２点支持側でミラー間が詰まったり、レイアウト上の制約が生じ易い。そのような不具合を解消するため、図７ａに示すように、隣り合う２枚のミラーの間で、一方のミラー４０２の２点支持側（寸法Ｘだけ広げた側）を他方のミラー４０２’の１点支持側に配するようにする。このように一方のミラーの１点支持側に他方のミラーの２点支持側を合わせ、各ミラーの幅広端部を交互に配置することで、レイアウト上の制約を緩和でき、各ミラーの使用反射領域を近づけることも可能となる。あるいは、各ミラー４０２，４０２’の使用反射領域より短手方向両方の外側に、即ち、２方向にそれぞれ２／Ｘの寸法をとるようにすれば、隣り合うミラーの使用反射領域を一段と近づけることができ、また図７ｂに示すように、各ミラー４０２，４０２’の使用反射領域より短手方向両方の外側に、それぞれ寸法Ｘをとることで２点支持の間隔を大きくして、部品精度による角度誤差や、熱変動での寸法変動による角度変動量を一層小さくすることも可能である。
【００１４】
なお、ミラー端部を２点支持するに当たり、図８に示すように、ミラー４０２とは別の支持部材８０１をミラー４０２の端部に取り付けて、使用反射領域より短手方向外側に支持範囲を確保してもよい。これにより、ミラーの短手方向全幅を使用反射領域とすることができ、またミラーの特殊な加工を回避したり、自由な形状の支持部材を供することもできるようになる。
【符号の説明】
【００１５】
１０２  画像読取装置
３０１  走査光学ユニット
４０１  光源
４０２，４０２’，４０３，４０４，４０５，４０６  ミラー
４０７  イメージセンサ
４０９，４１０  レンズ
６０２  使用反射領域
【先行技術文献】
【特許文献】
【００１６】
【特許文献１】特開平１０−２０６２８号公報
【図１】
2019140556.tif 000003
【図２】
2019140556.tif 000004
【図３】
2019140556.tif 000005
【図４】
2019140556.tif 000006
【図５】
2019140556.tif 000007
【図６】
2019140556.tif 000008
【図７】
2019140556.tif 000009
【図８】
2019140556.tif 000010